(57)【要約】      （修正有）【課題】伸縮幅が大きく安全性を維持し、伸縮ハシゴの違和感を排除したハシゴとしても使用することができる多点伸縮脚立兼ハシゴを提供する。【解決手段】上記の課題を解決するために、左軸と右軸の間を水平な踏み板で連結し前記左右軸の下に左右伸縮軸を設けた伸縮部と、梯子左軸と梯子右軸の間を複数の踏み板で一定間隔を空けて連結し前記梯子左右軸の上部に前記左右伸縮軸を挿通した梯子部と、下端に滑り止めの付いた末広な左脚と右脚の間を踏み板で連結し前記左右脚の上に脚左右伸縮軸を設け前記脚左右伸縮軸を前記梯子左右軸の下部に挿通した脚部とからなる梯子と同形同大の梯子の天板同士を連結した脚立であり、鞘管状の梯子部から伸縮部と脚部が伸縮できることを特徴とする多点伸縮脚立兼梯子とした。【選択図】図１
0003129436.tif 000002
【実用新案登録請求の範囲】
【請求項１】
左軸と右軸の間を水平な踏み板で連結し前記左右軸の下に左右伸縮軸を設けた伸縮部と、梯子左軸と梯子右軸の間を複数の踏み板で一定間隔を空けて連結し前記梯子左右軸の上部に前記左右伸縮軸を挿通した梯子部と、下端に滑り止めの付いた末広な左脚と右脚の間を踏み板で連結し前記左右脚の上に脚左右伸縮軸を設け前記脚左右伸縮軸を前記梯子左右軸の下部に挿通した脚部とからなる梯子と同形同大の梯子の天板同士を連結した脚立であり、鞘管状の梯子部から伸縮部と脚部が伸縮できることを特徴とする多点伸縮脚立兼梯子。
【請求項２】
一方の梯子の上部に設けた連結受けと他方の梯子の上部に設けた連結受けとを回動可能に連結し、１８０度まで開脚できるようにしたことを特徴とする請求項１に記載の多点伸縮脚立兼梯子。
【請求項３】
左右伸縮軸に複数設けた調節孔の１つと梯子左右軸の上部の調節孔を調節突起で貫通させバネでロックする調節部材と、脚左右伸縮軸に複数設けた調節孔の１つと梯子左右軸の下部の調節孔を調節突起で貫通させバネでロックする調節部材とにより、多段階で伸縮を調整できる調節機構を備えたことを特徴とする請求項１又は２に記載の多点伸縮脚立兼梯子。
【考案の詳細な説明】
【技術分野】
【０００１】
本考案は、作業現場や家庭で使用する脚立に関する考案である。
【背景技術】
【０００２】
従来の脚立は、同形同大の２本のハシゴの上端同士を回動可能な連結部材で連結し、使用する際には前記２本のハシゴをハの字型に開き、２本のハシゴの中間部同士を固定して使用するものであった。
【０００３】
また、高さを変更することが可能な脚立の場合は、各ハシゴの脚の下端を伸縮することができる構造とし、使用する際は各脚の下端を引き伸ばして使用するものであった。いずれの脚立も連結されたハシゴ同士を１８０度開いて一直線にすることでハシゴとしても使用できるものであった。
【０００４】
一方、前記脚立を１８０度開いてハシゴとしたときに届かない場合などは、別途伸縮可能なハシゴを使用している。このハシゴは２本以上のハシゴを重ね合わせてスライド方式により伸縮することができる構造である。
【０００５】
しかしながら、従来の脚立では脚の下端を伸縮させることができるとしても、構造面や安全面から３０ｃｍ程度の伸縮に留まっており、およそ１段分の伸縮しかすることができなかった。
【０００６】
また、前述の３０ｃｍ程度の伸縮では届かない高所に対しては脚立をハシゴとして使用するために脚立を１８０度広げるが、ハシゴ状にした脚立が大きすぎることがあり、取り扱いがしにくいという問題があった。
【０００７】
更に上記のような場合は、伸縮自在のハシゴを使用することがあるが、スライド方式による伸縮ハシゴは伸ばした際に各ハシゴ間でステップの位置が異なり上り下りに違和感を感じることがあり、高所などでは更に大きな違和感となり安全性を欠くものであり、何より複数種類の脚立やハシゴを備えるには収納に場所をとり不便であった。
【特許文献１】特願２００４−２３７７８５号公報
【考案の開示】
【考案が解決しようとする課題】
【０００８】
そこで、本発明は、従来よりも伸縮幅が大きく安全性を維持し、更に従来に伸縮ハシゴの違和感を排除したハシゴとしても使用することができる多点伸縮脚立兼ハシゴを提供することを目的とするものである。
【課題を解決するための手段】
【０００９】
本考案は、上記の課題を解決するために、複数の調節孔３ｈを穿設した左伸縮軸３ｆを下端に備え上部に左天板３ｄを備えた左軸３ａと複数の調節孔３ｈを穿設した右伸縮軸３ｇを下端に備え上部に右天板３ｅを備えた右軸を左右軸３ａ、３ｂの下部同士を踏み板３ｃで連結した略Ｈ字状の伸縮部３と、内部が中空で前記左伸縮軸３ｆを上端から挿通し上部及び下部に２つの連結部材７ｂと前記連結部材７ｂの孔同士を回動可能な状態で挿通し中央にバネ７ｄを取り付けた連結軸７ｃの左右端を内面壁に連結し内壁面下部に調節突起７ｅを備えた連結部材７ａからなる調節機構７を取り付けた梯子左軸４ａと同じく内部が中空で前記右伸縮軸３ｇを上端から挿通し上部及び下部に調節機構７を取り付けた梯子右軸４ｂを平行状態を保ち複数の踏み板４ｃで等間隔に連結した梯子部４と、  複数の調節孔５ｉを穿設した脚左伸縮軸５ｅを上端に備え下端に滑り止め５ｄを取り付けた略くの字状の左脚５ａと複数の調節孔５ｉを穿設した脚右伸縮軸５ｆを上端に備え下端に滑り止め５ｄを取り付けた略くの字状の右脚５ｂを左右脚５ａ、５ｂの下端同士が最も遠い位置になるように左右脚５ａ、５ｂの上部同士を踏み板５ｃで連結し前記脚左伸縮軸５ｅを梯子左軸４ａの下端から挿通し脚右伸縮軸５ｆを梯子右軸４ｂの下端から挿通することで前記梯子部４と連結された脚部５からなる同形同大の２つの梯子２からなり、  一方の梯子２の左上端に取り付けた左連結受け６と他方の梯子２の右上端に取り付けた右連結部材６ｂを回動可能に連結し、同時に一方の梯子２の右上端に取り付けた右連結受け６ａと他方の梯子２の左上端に取り付けた左連結部材６ｃを回動可能に連結し梯子同士が回動し１８０度まで開脚することができることを特徴とした多点伸縮脚立兼梯子１の構成とした。
【考案の効果】
【００１０】
本考案の多点伸縮脚立兼ハシゴは、脚立を構成する２つのハシゴの上下端を鞘管方式による伸縮構造としたため、従来よりも脚立状態での伸縮幅が大きく複数種類の脚立の役割を１台で果たすことができる。
【００１１】
また、前述のように伸縮構造が鞘管方式によるため脚立を１８０度開いてハシゴとして使用する際にも従来のようなステップの位置のズレから感じる違和感がなく、その上各ハシゴの下端が末広がりの形状としたため安定して設置することができ高所であっても安全に作業をすることができる。
【００１２】
更に伸縮構造が鞘管方式であるため各伸縮部分が脚立からはみ出ることが無く小さくまとめることができ収納及び運搬の邪魔にならない。
【００１３】
その上、角パイプを使用するため従来よりも肉薄な材料でも強度を保つことができ、脚立全体の軽量化を容易である。
【考案を実施するための最良の形態】
【００１４】
安全性を維持し従来よりも伸縮幅の大きく、１８０度に開いてハシゴとして使用する際にも違和感を感じることがない１台２役の脚立兼ハシゴという目的を、脚立を構成する２つのハシゴの上下端を鞘管方式による伸縮構造としたことによって実現した。
【実施例１】
【００１５】
図１は本考案である多点伸縮脚立兼梯子の斜視図、図２は多点伸縮脚立兼梯子の正面図、図３は多点伸縮脚立兼梯子の左側面図である。
【００１６】
図１から図３に示すように、本考案である多点伸縮脚立兼梯子１は同形同大の２つの梯子２、２からなり、一方の梯子２の左上端に取り付けた左連結受け６と他方の梯子２の右上端に取り付けた右連結部材６ｂを回動可能に連結し、同時に一方の梯子２の右上端に取り付けた右連結受け６ａと他方の梯子２の左上端に取り付けた左連結部材６ｃを回動可能に連結し梯子２、２同士が回動し１８０度まで開脚することができる。
【００１７】
前記２つの梯子２は同形同大であり、梯子２は複数の調節孔３ｈを穿設した左伸縮軸３ｆを下端に備え上部に左天板３ｄを備えた左軸３ａと複数の調節孔３ｈを穿設した右伸縮軸３ｇを下端に備え上部に右天板３ｅを備えた右軸３ｂを左右軸３ａ、３ｂの下部同士を踏み板３ｃで連結した略Ｈ字状の伸縮部３と、
内部が中空で前記左伸縮軸３ｆを上端から挿通し上部及び下部に調節機構７を取り付けた梯子左軸４ａと同じく内部が中空で前記右伸縮軸３ｇを上端から挿通し上部及び下部に調節機構７を取り付けた梯子右軸４ｂを平行状態を保ち複数の踏み板４ｃで等間隔に連結した梯子部４と、
複数の調節孔５ｉを穿設した脚左伸縮軸５ｅを上端に備え下端に滑り止め５ｄを取り付けた略くの字状の左脚５ａと複数の調節孔５ｉを穿設した脚右伸縮軸５ｆを上端に備え下端に滑り止め５ｄを取り付けた略くの字状の右脚５ｂを左右脚５ａ、５ｂの下端同士が最も遠い位置になるように左右脚５ａ、５ｂの上部同士を踏み板５ｃで連結し前記脚左伸縮軸５ｅを梯子左軸４ａの下端から挿通し脚右伸縮軸５ｆを梯子右軸４ｂの下端から挿通することで前記梯子部４と連結された脚部５とからなる。
【００１８】
前記伸縮部３を構成する右軸３ｂの右側面下部には固定部材軸６ｅにより回動可能に長板状の固定部材６ｄが取り付けられており、一方左軸３ａの左側面下部には留め具６ｆが取り付けられている。固定部材６ｄには固定部材軸６ｅ近くの位置と先端付近に掛け凹部６ｈが形成されており、そのうち先端付近に形成された掛け凹部６ｈは、梯子２、２同士を開脚した際に相対する梯子２の伸縮部３に取り付けた留め具６ｆに掛けられ梯子２、２が脚立状態を保つことができる。
【００１９】
一方、図３に示すように固定部材軸６ｅ近くに形成された掛け凹部６ｈは、固定部材６ｄを使用しない場合に、固定部材６ｄが勝手に回動しないように梯子部４を構成する梯子右軸４ｂの右側面上部に取り付けた留め具６ｇに掛けられる。
【００２０】
前述の通り、一方の梯子２を構成する伸縮部３の左軸３ａの左側面上部には左連結受け６が取り付けられており、右軸３ｂの右側面上部には右連結受け６ａが取り付けられている。また、他方の梯子２を構成する伸縮部３の左軸３ａの左側面上部には左連結部材６ｃが取り付けられており、右軸３ｂの右側面上部には右連結部材６ｂが取り付けられている。
【００２１】
これらの左右連結部材及び左右連結部材受けのうち、前記左連結受け６と右連結部材６ｂを回動可能に連結し、右連結受け６ａと左連結部材６ｃを回動可能に連結することで伸縮部３、３同士が回動可能に連結されている。伸縮部３、３は一方の伸縮部３の左天板３ｄが他方の伸縮部３の右天板３ｅと重なるまで、即ち１８０°まで開脚することができる。
【００２２】
前記梯子部４の梯子左右軸４ａ、４ｂは等間隔に配置された複数の踏み板４ｃにより連結されており、それぞれの連結部分は固定具４ｄにより補強されている。固定具４ｄには略Ｔ字型、略Ｌ字型などを使用している。これらの固定具４ｄについては、特に限定しておらず連結状態を維持できるものであれば良い。
【００２３】
梯子左右軸４ａ、４ｂの連結に使用される踏み板４ｃのうち、一番下で使用されている踏み板４ｃには、掛け凹部４ｆを形成した留め具４ｅが回動可能に取り付けられており、脚部５を梯子部４から引き伸ばさずに縮めた状態を保つ際に使用される。その場合、脚部５の踏み板５ｃに取り付けた留め具５ｈに掛け凹部４ｆを掛けることで、梯子部４と脚部５は固定される。
【００２４】
尚、梯子部４と脚部５の固定については、前記留め具５ｈと掛け部４ｆによって縮めた状態で固定すると同時に、梯子左右軸４ａ、４ｂの下部に取り付けた調節機構７によっても固定されている。調節機構７の構造については、後に説明することとする。
【００２５】
前記脚部５は、脚左伸縮軸５ｅを備えた左脚５ａと脚右伸縮軸５ｆを備えた右脚５ｂとからなり、左右脚５ａ、５ｂを踏み板５ｃで連結したものである。左右脚５ａ、５ｂと踏み板５ｃの連結を補強するため接続部には固定具５ｇが使用されている。この固定具５ｇについては、略Ｌ字状の固定具を使用しているが、特に限定したものではなく、別の形状であっても構わない。
【００２６】
図１及び図２に示すように、左脚５ａは上部に脚左伸縮軸５ｅを取り付けた状態では略くの字状をしており、同様に右脚５ｂも上部に脚右伸縮軸５ｆを取り付けた状態では略くの字状をしている。
【００２７】
左右脚５ａ、５ｂを踏み板５ｃで連結する際に、脚左右伸縮軸５ｅ、５ｆを平行状態にし、左右脚５ａ、５ｂ部分が左右に末広がりの状態になるように連結する。これにより、多点伸縮脚立兼梯子１を脚立として使用した場合でも梯子として使用した場合でも安定し、安全に作業をすることができる。
【００２８】
図３に示すように、梯子部４を構成する各梯子左右軸４ａ、４ｂの内側に取り付けられた調節機構７は、位置をずらして取り付けられている。このように調節機構７の位置をずらすことにより調節機構７同士がぶつかることがなく、梯子２、２を閉じた場合にすっきりと閉じることができる。また、このとき各調節機構７は相手側の左右脚５ａ、５ｂに接触しており、左右脚５ａ、５ｂに調節機構７の上部側が押されることにより調節機構７のロックが外れた状態となっている。
【００２９】
次に図４から図６を使用し、調節機構７の構造を説明することとする。図４は本考案である多点伸縮脚立兼梯子の調節機構の拡大図、図５は多点伸縮脚立兼梯子のＡ−Ａ線断面図、図６は多点伸縮脚立兼梯子のＢ−Ｂ線断面図である。
【００３０】
図４から図６に示すように、本考案である多点伸縮脚立兼梯子１で使用される調節機構７は、前記梯子左右軸４ａ、４ｂに取り付けられており、梯子左軸４ａと左伸縮軸３ｆ及び脚左伸縮軸５ｅの伸縮調節と、梯子右軸４ｂと右伸縮軸３ｇ及び脚右伸縮軸５ｆの伸縮調節をしている。
【００３１】
前記調節機構７は、梯子左軸４ａ又は梯子右軸４ｂに取り付けた先端に孔を穿設した２つの連結部材７ｂと前記連結部材７ｂの孔同士を回動可能な状態で挿通し中央にバネ７ｄを取り付けた連結軸７ｃの左右端を内面壁に連結し内壁面下部に先端に拡張部７ｆを形成した調節突起７ｅを備えた連結部材７ａとからなる。
【００３２】
前述のとおり、前記調節部材７ａは左右面中央同士を連結軸７ｃで連結しており、前記連結軸７ｃは２つの連結部材７ｂ、７ｂの孔に回動可能に挿通されている。また、前記連結軸７ｃの中央にはバネ７ｄが取り付けられており、このバネ７ｄが調節部材７ａの内面と梯子左右軸４ａ、４ｂに取り付けられた固定具４ｄを押し広げた状態となっている。
【００３３】
従って、通常の状態では調節部材７ａは連結軸７ｃを中心として下部側が固定具４ｄに接した状態となっており、調節部材７ａの上部側を固定具４ｄに向かって押すことによって調節部材７ａの下部側が固定具４ｄから離れる構造となっている。
【００３４】
調節部材７ａの上部を押し続けた状態から離すと調節部材７ａの内側に設置されたバネ７ｄの復元力により元の形状に戻ろうと調節部材７ａの上部を押し、調節部材７ａの下部が固定具４ｄに接触した状態となる。
【００３５】
前述の通り、調節部材７ａの下部内側には調節突起７ｅが取り付けられており、この調節突起７ｅは調節部材７ａが通常の状態であるときには梯子左右軸４ａ、４ｂに穿設した調節孔４ｇを貫通し、更に左右伸縮軸３ｆ、３ｇに穿設した調節孔３ｈ又は脚左右伸縮軸５ｅ、５ｆに穿設した調節孔５ｉまで貫通し、梯子左右軸４ａ、４ｂと左右伸縮軸３ｆ、３ｇ又は脚左右伸縮軸５ｅ、５ｆの伸縮を固定している。
【００３６】
一方、前記調節部材７ａの上部を固定具４ｄ側に向かって押し調節部材７ａの下部を固定具４ｄから離れさせた場合、調節部材７ａの下部に取り付けられた調節突起７ｅは左右伸縮軸３ｆ、３ｇの調節孔３ｈ又は脚左右伸縮軸５ｅ、５ｆの調節孔５ｉから引き抜かれ梯子左右軸４ａ、４ｂと左右伸縮軸３ｆ、３ｇ又は脚左右伸縮軸５ｅ、５ｆの固定制御が外れ左右伸縮軸３ｆ、３ｇ及び脚左右伸縮軸５ｅ、５ｆはスライド可能状態となる。
【００３７】
以上のように、梯子左右軸４ａ、４ｂと梯子左右軸４ａ、４ｂに挿通されている左右伸縮軸３ｆ、３ｇ及び脚左右伸縮軸５ｅ、５ｆは調節機構７により通常はスライド不可能な状態で係止されており自然にスライドすることはない。
【００３８】
また、前述のように梯子２、２同士を閉じた状態では、相手側の左右脚５ａ、５ｂが調節機構７の上部を押しロックを外した状態となっているため、伸縮部３及び脚部５は伸縮可能な状態となっているが、留め具４ｅ及び固定部材６ｄにより伸縮が制御された状態となっている。
【図面の簡単な説明】
【００３９】
【図１】本考案である多点伸縮脚立兼梯子の斜視図である。
【図２】本考案である多点伸縮脚立兼梯子の正面図である。
【図３】本考案である多点伸縮脚立兼梯子の左側面図である。
【図４】本考案である多点伸縮脚立兼梯子の調節機構の拡大図である。
【図５】本考案である多点伸縮脚立兼梯子のＡ−Ａ線断面図である。
【図６】本考案である多点伸縮脚立兼梯子のＢ−Ｂ線断面図である。
【符号の説明】
【００４０】
１      多点伸縮脚立兼梯子
２      梯子
３      伸縮部
３ａ    左軸
３ｂ    右軸
３ｃ    踏み板
３ｄ    左天板
３ｅ    右天板
３ｆ    左伸縮軸
３ｇ    右伸縮軸
３ｈ    調節孔
４      梯子部
４ａ    梯子左軸
４ｂ    梯子右軸
４ｃ    踏み板
４ｄ    固定具
４ｅ    留め具
４ｆ    掛け凹部
４ｇ    調節孔
５      脚部
５ａ    左脚
５ｂ    右脚
５ｃ    踏み板
５ｄ    滑り止め
５ｅ    脚左伸縮軸
５ｆ    脚右伸縮軸
５ｇ    固定具
５ｈ    留め具
５ｉ    調節孔
６      左連結受け
６ａ    右連結受け
６ｂ    右連結部材
６ｃ    左連結部材
６ｄ    固定部材
６ｅ    固定部材軸
６ｆ    留め具
６ｇ    留め具
６ｈ    掛け凹部
７      調節機構
７ａ    調節部材
７ｂ    連結部材
７ｃ    連結軸
７ｄ    バネ
７ｅ    調節突起
７ｆ    拡張部
【図１】
0003129436.tif 000003
【図２】
0003129436.tif 000004
【図３】
0003129436.tif 000005
【図４】
0003129436.tif 000006
【図５】
0003129436.tif 000007
【図６】
0003129436.tif 000008